(57)【要約】      （修正有）【課題】組立てが簡単かつ迅速に行えるように少ない部品点数で構成し、簡易性と耐久性に優れる重ね合わせ可能なテーブルを提供する。【解決手段】二組の一対の脚１８，２０をそれぞれ組み合わせて相互に連結するとともに、前記テーブルトップ１４の回転軸１６に対して平行な方向に互い違いに配置し、可動アーム３４は、前記一対の脚の一方１８の端部に回動可能に嵌合する第１端部３６と、接合部４８を介して支持部材４０に連結される第２端部４６とを有し、相互に直交する少なくとも２つの軸５０，５２を中心に前記可動アーム３４の第２端部４６に対して前記支持部材４０が回転移動するように構成する。【選択図】図９
2008212664.tif 000002
【特許請求の範囲】
【請求項１】
二組の一対の脚（１８，２０）を備えた支持機構（１２）と、水平軸（１６）を中心にして回動可能に該支持機構に取り付けられ、使用位置と収納位置との間を移動するテーブルトップ（１４）と、該テーブルトップ（１４）に取り付けられたアーチガイド（３２）と、可動アーム（３４）と、該可動アーム（３４）を介して摺動することで前記アーチガイド（３２）と嵌合する支持部材（４０）とを有する一対の支持具（３０）とを備える重ね合わせ可能な折り畳み式のテーブルにおいて、
前記二組の一対の脚（１８，２０）をそれぞれ組み合わせて相互に連結するとともに、前記テーブルトップ（１４）の回転軸（１６）に対して平行な方向に互い違いに配置し、
前記可動アーム（３４）は、前記一対の脚の一方（１８）の端部に回動可能に嵌合する第１端部（３６）と、接合部（４８）を介して前記支持部材（４０）に連結される第２端部（４６）とを有し、相互に直交する少なくとも２つの軸（５０，５２）を中心に前記可動アーム（３４）の第２端部（４６）に対して前記支持部材（４０）が回転移動するように構成することを特徴とするテーブル。
【請求項２】
垂直面に対して鋭角に傾斜した中央延在部を有する２つの外側脚（２０）を備えることを特徴とする請求項１に記載のテーブル。
【請求項３】
上方部（１８’）と下方部（１８’’）とを有する内側脚（１８）を備え、
該内側脚（１８）の上方部（１８’）は、前記外側脚（２０）の傾斜した中央延在部と平行となり、
前記内側脚（１８）の下方部（１８’’）は、水平面に対して傾斜していることを特徴とする請求項２に記載のテーブル。
【請求項４】
前記外側脚（２０）は、梁状水平部材（２６）を介して相互に連結されることを特徴とする請求項３に記載のテーブル。
【請求項５】
相互に平行な前記内側脚（１８）の上方部（１８’）と前記外側脚（２０）の中央延在部は、連結部材（２８）を介して相互に連結されることを特徴とする請求項３に記載のテーブル。
【請求項６】
前記支持部材（４０）は、前記アーチガイド（３２）に回動可能に嵌合する円形状のフランジ（４２）を備えることを特徴とする請求項１に記載のテーブル。
【請求項７】
前記接合部（４８）は、前記２つの軸のうち一方の軸（５０）を中心に回動可能に前記可動アーム（３４）の第１端部（３６）に嵌合する本体部（４９）を備え、
該本体部（４９）は、前記一方の軸（５０）に直交する他方の軸（５２）を中心に回動可能に前記支持部材（４０）に連結されることを特徴とする請求項１に記載のテーブル。
【請求項８】
前記支持部材（４０）は、前記テーブルトップ（１４）が使用位置に配置されると、前記アーチガイド（３２）に設けた孔部（７０）に嵌合するロックピン（５６）を備えることを特徴とする請求項１に記載のテーブル。
【請求項９】
嵌合位置に向かって付勢された前記ロックピン（５６）の嵌合を手動で解除することができる解除具（６４）を備えることを特徴とする請求項８に記載のテーブル。
【請求項１０】
前記解除具（６４）は、ボーデンケーブルタイプの可撓性誘導部材（６２）を介して前記ロックピン（５６）に連結されることを特徴とする請求項９に記載のテーブル。
【請求項１１】
前記解除具（６４）は、前記テーブルトップ（１４）の下面に固定されることを特徴とする請求項９に記載のテーブル。
【発明の詳細な説明】
【技術分野】
【０００１】
本発明は、重ね合わせ可能な折り畳み式のテーブルに関し、具体的には、二組の一対の脚を備えた支持機構と、水平軸を中心にして回動可能に該支持機構に取り付けられ、使用位置と収納位置との間を移動するテーブルトップと、該テーブルトップに取り付けられたアーチガイドと、可動アームと、該可動アームを介して摺動することで前記アーチガイドと嵌合する支持部材とを有する一対の支持具とを備える重ね合わせ可能な折り畳み式のテーブルに関する。
【背景技術】
【０００２】
前記構成を特徴とするテーブルは、特許文献１によって公然知られたものである。特許文献１には、水平軸を回転するテーブルトップと、垂直軸を中心に回動する２つの垂直脚を有する支持機構を備えるテーブルが開示されている。垂直脚は、使用位置と収納位置に切り替えることができる。テーブルトップは、２つの支持機構を介して回転式の前記垂直脚に連結される。前記支持機構は、テーブルトップに固定されるアーチガイドと、回転式の前記垂直脚に連結されるアームとを備える。収納位置の状態にある時、テーブルは、同種の別のテーブルを重ね合わせることができる。
【特許文献１】国際公開第００／１０４２６号パンフレット
【発明の開示】
【発明が解決しようとする課題】
【０００３】
本発明は、組立てが簡単かつ迅速に行えるように少ない部品点数で構成し、簡易性と耐久性に優れる重ね合わせ可能なテーブルを提供することを課題とする。
【課題を解決するための手段】
【０００４】
前記課題を解決するため、本発明は、二組の一対の脚を備えた支持機構と、水平軸を中心にして回動可能に該支持機構に取り付けられ、使用位置と収納位置との間を移動するテーブルトップと、該テーブルトップに取り付けられたアーチガイドと、可動アームと、該可動アームを介して摺動することで前記アーチガイドと嵌合する支持部材とを有する一対の支持具とを備える重ね合わせ可能な折り畳み式のテーブルにおいて、前記二組の一対の脚をそれぞれ組み合わせて相互に連結するとともに、前記テーブルトップの回転軸に対して平行な方向に互い違いに配置し、前記可動アームは、前記一対の脚の一方の端部に回動可能に嵌合する第１端部と、接合部を介して前記支持部材に連結される第２端部とを有し、相互に直交する少なくとも２つの軸を中心に前記可動アームの第２端部に対して前記支持部材が回転移動するように構成する。
【発明の効果】
【０００５】
本発明によれば、二組の一対の脚をそれぞれ組み合わせて相互に連結するとともに、テーブル面の回転軸に対して平行な方向に互い違いに配置するので、使用位置から不使用位置に脚の位置を切り替えなくても、相互に重ね合わせることができる。テーブルトップは、脚の一方の端部に嵌合する第１端部と、接合部を介して支持部材に連結される第２端部とを備える可動アームを有する２つの支持具に連結されるので、支持部材が、相互に直交する少なくとも２つの軸を中心に前記可動アームの第２端部に対して回転移動する。
【０００６】
本発明によれば、非常に簡単な方法で、テーブルトップを使用位置に固定することができる。
【発明を実施するための最良の形態】
【０００７】
本発明の特徴及び有利な点は、添付の図面を参照しながら詳細に説明することで明らかとなるが、以下の説明は本発明を限定するような例として提供されるものではない。
【０００８】
図１〜図６を参照すると、１０は、本発明のテーブルを示している。テーブル１０は、支持機構１２とテーブルトップ１４とを備える。テーブルトップ１４は、支持機構１２の水平軸１６に連接される。テーブルトップ１４は、図１、図３及び図５に示す収納位置と図２、図４及び図６に示す使用位置との間を回動する。
【０００９】
図示の実施形態では、テーブルトップ１４は、長方形状に構成されている。しかしながら、本発明は、いかなる形状のテーブルトップを備えたテーブルにも適用されるものであり、形状の例としては、正方形状、楕円状、円形状等がある。
【００１０】
支持機構１２は、脚１８，２０を２つ備える。脚１８，２０は、下端に回転輪２２を備える。脚１８，２０は、テーブルトップ１４の回転軸１６の方向で互い違いに配置されている。脚２０は、脚１８の外側に位置する。
【００１１】
２つの外側脚２０は、相互に同一平面上に位置する中央部を備える。中央部は、垂直面に対して鋭角に傾斜する方向に延在する。外側脚２０の上端は、テーブルトップ１４の下面に固定される支持部２４に連接される。支持部２４と外側脚２０の上端とを連接するための軸は、相互に同軸上に位置するとともに、テーブルトップ１４の回転軸１６を規定する。
【００１２】
内側脚１８は、上方部１８’と、該上方部１８’に対して鋭角に傾斜する下方部１８’’とを有する。内側脚１８の上方部１８’は、外側脚２０の傾斜した中央部と平行である。下方部１８’’は、外側脚２０と対向する方向に傾斜する。下方部１８’’は、水平面に対して鋭角に傾斜する。脚１８，２０の回転輪２２は、テーブルトップ１４の回転軸１６を通過する垂直面に対してそれぞれ反対側に位置した状態で延在する。
【００１３】
２つの外側脚２０は、回転軸１６に平行な梁状水平部材２６を介して相互に連結される。各内側脚１８は、例えば、連結部材２８を介して対応する外側脚２０に連結される。脚１８，２０は、管状金属で構成されるのが好ましい。溶接又はネジ手段を用いて、脚１８，２０同士を連結するとともに、外側脚２０と梁状水平部材２６とを連結する。
【００１４】
図７、図８及び図９を参照すると、テーブル１０は、２つの支持具３０を備える。各支持具３０は、アーチガイド３２とアーム３４とを備える。アーチガイド３２は、テーブルトップ１４の下面に固定される。各アーチガイド３２は、テーブルトップ１４と平行な平面上でアーチ状の軌道を描く誘導路を規定する。誘導路には、２つの運動終了位置があり、該２つの運動終了位置は、テーブルトップ１４の収納位置と使用位置となるものである。
【００１５】
図９を参照すると、支持具３０のアーム３４は、第１端部３６を備える。第１端部３６は、対応する内側脚１８の上方部１８’の軸３８を中心に回転可能に取り付けられる。回転軸３８は、内側脚１８の上方部１８’と同一軸上に位置する。各支持具３０は、支持部材４０を備える。支持部材４０は、対応するアーチガイド３２に摺動可能に嵌合するフランジ４２を備える。支持部材４０は、円筒部４４を備える。円筒部４４は、接合部４８を介してアーム３４の第２端部４６に連結される。
【００１６】
図９及び図１０を参照すると、支持部材４０は、接合部４８によって、互いに直交する２つの軸５０，５２を中心にアーム３４に対して回転移動することができる。第１回転軸５０は、アーム３４の第２端部４６と同一軸上に位置する。接合部４８は、本体部４９を備える。本体部４９は、第１回転軸５０を中心に回動するように、アーム３４の第２端部４６に取り付けられる。第２回転軸５２は、例えば、支持部材４０の円筒部から突出するフランジ５４と嵌合する横方向ピンによって形成される。また、支持部材４０が、直交する少なくとも２つの軸を中心にアーム３４の第２端部に対して回転移動するように、接合部４８を球面接合材等の接合材で構成してもよい。
【００１７】
特に図１０を参照すると、各支持部材４０は、ロックピン５６を備える。ロックピン５６は、縦軸５８の軸方向に摺動するとともに、スプリング６０に取り付けられている。スプリング６０は、ロックピン５６を外方に付勢する。静止状態にある時は、ロックピン４６の一端は、フランジ４２の上面を越えて突出する。ロックピン５６は、ボーデンケーブルタイプの可撓性誘導部材６２に接続される。図８に示すように、２本の誘導部材６２は、手動操作が可能なハンドル６６を備えた解除具６４に接続される。解除具６４は、テーブルトップ１４の下面に固定される。
【００１８】
図７及び図８を参照すると、各アーチガイド３２は、上方閉塞プレート６８を備える。上方閉塞プレート６８は、テーブルトップ１４の対向面でアーチガイド３２を閉塞する。上方閉塞プレート６８は、孔部７０を備える。孔部７０は、テーブルトップ１４が使用位置に配置されると、ロックピン５６と嵌合する。
【００１９】
テーブル１０を使用形状から保管形状に変更する場合、使用者はハンドル６６を引いて、各孔部７０からロックピン５６を外す。テーブルトップ１４が解放されると、使用者は、軸１６を中心にしてテーブルトップ１４を回動させる。軸１６を中心としてテーブルトップ１４が回動する間、支持部材４０は、アーチガイド３２に沿って摺動することで、到達したアーチガイド３２の反対側の端部と嵌合した状態となる。前記のように嵌合すると、テーブルトップ１４が収納位置で安定する。特に図３に示す前記収納位置で安定すると、テーブルトップ１４は、外側脚２０の傾斜延在部と平行な位置で延在する。支持具３０は、収納位置及び使用位置でテーブルトップ１４を支持する。図４に示すように、使用位置にあるとき、支持部材４０は、テーブルトップ１４の回転軸から所定の間隔をあけて位置しながら、回転軸１６から偏心した位置でそれぞれ支持機能を果たす。テーブルトップ１４は、収納位置に戻りやすいような重さで構成される。しかしながら、支持部材４０は、ロックピン５６と孔部７０とが嵌合することで、アーチガイド３２と協働し、使用位置に安定する。その結果、使用位置にある支持具３０は、支持機構１２に固定された状態になることでテーブルトップ１４の重量を支える。
【００２０】
図１１及び図１２を参照すると、収納位置の状態にした本発明のテーブルは、同種の別のテーブルを重ね合わせることができる。重ね合わせた状態にすると、隣接する２つのテーブルトップ１４は、相互に平行となる。後方のテーブルの内側脚１８の下方部１８’’は、前方のテーブルの外側脚２０と内側脚１８の下方部１８’’との間に位置する。
【００２１】
本発明の脚１８，２０のような形状に構成すれば、使用位置にある場合と収納位置にある場合とで脚の位置を変更しなくても、テーブル１０を重ね合わせることができる
【図面の簡単な説明】
【００２２】
【図１】本発明のテーブルを収納位置に切り替えた状態を示す斜視図である。
【図２】本発明のテーブルを使用位置に切り替えた状態を示す斜視図である。
【図３】本発明のテーブルを収納位置に切り替えた状態を示す側面図である。
【図４】本発明のテーブルを使用位置に切り替えた状態を示す側面図である。
【図５】本発明のテーブルを収納位置に切り替えた状態を示す正面図である。
【図６】本発明のテーブルを使用位置に切り替えた状態を示す正面図である。
【図７】本発明のテーブルを収納位置に切り替えた状態を示す部分拡大斜視図であり、テーブルトップを透明状に表したものである。
【図８】本発明のテーブルを使用位置に切り替えた状態を示す部分拡大斜視図であり、テーブルトップを透明状に表したものである。
【図９】図８において矢印ＩＸで示した部分の斜視図である。
【図１０】図９において矢印Ｘで示した部分の部分断面斜視図である。
【図１１】本発明のテーブルを相互に重ね合わせた状態を示す斜視図である。
【図１２】本発明のテーブルをつ相互に重ね合わせた状態を示す側面図である。
【符号の説明】
【００２３】
１０  テーブル
１２  支持機構
１４  テーブルトップ
１６  回転軸
１８  内側脚
１８’  上方部
１８’’  下方部
２０  外側脚
２２  回転輪
２４  支持部
２６  梁状水平部材
２８  連結部材
３０  支持具
３２  アーチガイド
３４  アーム
３６  アームの第１端部
３８  内側脚の上方部の軸
４０  支持部材
４２  フランジ
４４  円筒部
４６  アームの第２端部
４８  接合部
５０  第１回転軸
５２  第２回転軸
５４  フランジ
５６  ロックピン
５８  縦軸
６０  スプリング
６２  誘導部材
６４  解除具
６６  ハンドル
６８  上方閉塞プレート
７０  孔部
【図１】
2008212664.tif 000003
【図２】
2008212664.tif 000004
【図３】
2008212664.tif 000005
【図４】
2008212664.tif 000006
【図５】
2008212664.tif 000007
【図６】
2008212664.tif 000008
【図７】
2008212664.tif 000009
【図８】
2008212664.tif 000010
【図９】
2008212664.tif 000011
【図１０】
2008212664.tif 000012
【図１１】
2008212664.tif 000013
【図１２】
2008212664.tif 000014
【外国語明細書】
2008212664.tif 000015
2008212664.tif 000016
2008212664.tif 000017
2008212664.tif 000018
2008212664.tif 000019
2008212664.tif 000020
2008212664.tif 000021
2008212664.tif 000022
2008212664.tif 000023
2008212664.tif 000024
2008212664.tif 000025
2008212664.tif 000026
2008212664.tif 000027
2008212664.tif 000028
2008212664.tif 000029
2008212664.tif 000030
2008212664.tif 000031
2008212664.tif 000032
2008212664.tif 000033
2008212664.tif 000034
2008212664.tif 000035
2008212664.tif 000036
2008212664.tif 000037